(57)【特許請求の範囲】
【請求項１】
筐体の内部にディスクドライブと、このディスクドライブの運転制御を行う電子部品とを収納したディスクアレイ装置において、
前記筐体の前後に設けられて多数のファンを内蔵した開閉式の扉と、この扉の中空の内面と外面に貼り付けられた吸音材と、前記扉の裏側には複数設けられたファンと表側には多数のルーバが形成されてなり、
前方吸気側の前記扉の前記ルーバは下向きであり、後方側排気側の前記扉の前記ルーバは上向きであるとともに、
前記ルーバには吸音材が貼り付けられていることを特徴とするディスクアレイ装置。
【請求項２】
請求項１記載のディスクアレイ装置において、
前記ルーバは前方正面から見ると前記扉の前記中空部内面が見えないように形成されていることを特徴とするディスクアレイ装置。
【発明の詳細な説明】
【技術分野】
【０００１】
本発明は、ディスクドライブが複数台搭載されるディスクアレイ装置ないしＣＰＵ等の発熱素子を有する電子装置に関するものである。
【背景技術】
【０００２】
ディスクアレイ装置は、データ保存の信頼性を向上させるために多数の磁気式あるいは光式のディスクドライブを筐体内に搭載している。これらディスクアレイ装置は、光などの高速な専用ネットワーク回線で接続され、管理ソフトウェアにより運用されている。この運用にあたってはＳＡＮ（ストレージエリアネットワーク）やＮＡＳ（ネットワークアタッチドストレージ）或いは単独のＲＡＩＤ（Redundant Array of Inexpensive Disks）ディスク装置として利用される。これらディスクアレイ装置に搭載されるディスクドライブの主要な発熱源は、駆動モータ，アクチュエータ，ＬＳＩなどの制御用電子部品である。これらの熱は、ディスクアレイ筐体に設置された冷却ファンによって供給される冷却風により冷却される。
【０００３】
冷却能力が悪い場合、ディスクドライブの温度が上昇し、その結果誤動作や長期信頼性の悪化が懸念される。また、外部制御機器とディスクドライブ間のデータのやり取りを制御するコントローラでは大きな発熱が発生する。このため冷却能力が悪い場合、これらのコントローラの温度が上昇し、その結果誤動作や素子破壊の発生が懸念される。
【０００４】
また、ディスクアレイ装置内で空気流を駆動させるためのファンから出る騒音の低減も重要な課題であり、騒音のために冷却に必要な風量が十分に確保できない場合もある。このように、ディスクアレイ装置では各発熱部材の良好な冷却と装置の低騒音化という課題がある。これは、ＣＰＵ等の発熱素子を有する電子装置に関しても同様の課題である。
【０００５】
従来のディスクアレイ装置および電子装置では、低騒音化の観点からもファンが筺体内部に実装されることが多かった。この場合、構造によってはファンの振動がディスクドライブに伝わることがあった。ファンの振動ピーク周波数とディスクドライブの固有振動数が一致してしまうと、ディスクドライブでの読み書きに障害が出る恐れがあった。
【０００６】
ディスクアレイ装置および電子装置の扉は、通常は閉まった状態で使用されるがディスクドライブを取り替える等のメンテナンスを行う際には開かれる場合がある。高信頼性が必要とされるディスクアレイ装置および電子装置では装置を停止させずにメンテナンスを行うため、このような際にも筺体内の各発熱部品の冷却性を保つことが重要である。
【０００７】
ブレードサーバの普及とデータ量急増に伴う、ストレージの大規模化により消費電力の急増がデータセンタ運用のクリティカルな要件となっている。例えば、サーバの発熱量は年率２０〜２５％で増加しており、数年後には１筺体当たり２０ＫＷ程度になると予想されている。このため、サーバ消費電力とその冷却に要する消費電力の割合は現状の１：１から１：１.５〜２.０になると考えられており、冷却に要する電力がネックとなりつつある。
【０００８】
従来のデータセンタ等のディスクアレイ装置および電子装置を同一空間内に多数に設置する場合においては、空調機の構成としては床の下面側から冷気が供給され、天上部から排熱されるものが一般的であった。ディスクアレイ装置および電子装置が高密度に実装された場合、天井付近の温まった空気を再吸気しやすいという問題があった。そしてこれが、空調コストの増大や機器搭載数の制限への要因となっていた。
【０００９】
従来のデータセンタでは、冷却を効率化するために空気流を監視するとともに、検知された空気流に応じてデータセンタ内の冷却を制御するシステムが公開されている（特許文献１参照）。また、空気流の再循環指標値を判定するためのシステムが提供されている（特許文献２参照）。
【００１０】
従来の電子機器では、箱内機器の均一な冷却をするためにルーバを構成している（特許文献３，４参照）。
【００１１】
【特許文献１】特開２００６−２０８０００号公報
【特許文献２】特表２００７−５０５２８５号公報
【特許文献３】特開２０００−４９４８２号公報
【特許文献４】特開平１１−２０４９７４号公報
【発明の開示】
【発明が解決しようとする課題】
【００１２】
特許文献１，２に係わる従来技術では、データセンタ内の各所にセンサを設置するとともに、状況を判定するコントローラが必要であり、装置構成が複雑となる。また、装置自体の冷却効率を向上させる方法については開示されていない。
【００１３】
また特許文献３，４に係わる従来技術では、筺体内の空気制御にのみ着目しており、給排気の制御に関しては言及されていない。
【００１４】
さらに、特許文献１から４に係わる従来技術では、ディスクアレイ装置および電子装置を低騒音化する構成に付いては開示されていない。
【００１５】
本発明の目的は、ディスクアレイ装置および電子装置の大容量化と高速化を実現させたディスクアレイ装置を提供することにある。
【課題を解決するための手段】
【００１６】
上記目的は、筐体の内部にディスクドライブと、このディスクドライブの運転制御を行う電子部品とを収納したディスクアレイ装置において、前記筐体の前後に設けられて多数のファンを内蔵した開閉式の扉と、この扉の中空の内面と外面に貼り付けられた吸音材と、前記扉の裏側には複数設けられたファンと表側には多数のルーバが形成されてなり、前方吸気側の前記扉の前記ルーバは下向きであり、後方側排気側の前記扉の前記ルーバは上向きであるとともに、前記ルーバには吸音材が貼り付けられていることにより達成される。
【００１７】
また上記目的は、前記ルーバは前方正面から見ると前記扉の前記中空部内面が見えないように形成されていることにより達成される。
【発明の効果】
【００２５】
本発明によれば、ディスクアレイ装置および電子装置の大容量化と高速化を実現させたディスクアレイ装置を提供できる。
【発明を実施するための最良の形態】
【００２６】
以下、本発明の一実施例を図にしたがって説明する。
【実施例１】
【００２７】
本発明の第一の実施例を図１〜図３に示す。  
図１は、本実施例でのディスクアレイ装置および電子装置の横断面図である。  
図２は、本実施例での扉１の構造図である。  
図３は、本実施例でのディスクアレイ装置および電子装置の鳥瞰図である。  
図１〜図３において、本発明のディスクアレイ装置および電子装置の筺体１００中には、ディスクドライブ１１０をディスクボックス１２０に多数実装した箇所が上方に、電源１３０やその他のコントローラ等の基板が下方に実装されている。また、筺体１００の前後には多数のファン３を内蔵した開閉式の扉１が設けられている。
【００２８】
本実施例の扉１は、図２に示すように中が中空となっており、内面および外面には吸音材４が貼り付けられている。表側に多数のルーバ２が形成され、裏側に多数のファン３が実装されている。扉１の表側に設けられたルーバ２は、前方正面から見た時に中空部内面が見えないように形成されており、ルーバ２の両側にも吸音材４が貼り付けられている。ルーバ２の向きは前方吸気側の扉１では下向き、後方排気側の扉１では上向きとなるように構成されている。また、扉１の裏側の開口部はファン３と同寸大であり、ファン３の部分以外の開口部は無い。
【００２９】
本実施例のディスクアレイ装置および電子装置の主たる騒音源はファン３およびディスクドライブ１１０である。ファン３から出た音は、中空の扉１の方向と筺体１００の双方向に進む。また、ディスクドライブ１１０からの音は筺体１００の外部方向、すなわち中空の扉１に向かって進む。
【００３０】
本実施例においては、ファン３から出た騒音の内、中空の扉１に向かったものはルーバ２によりブロックされるため反射され、扉１の外部へ直接出ることがなく、中空の扉１の中空部にて何回かの内面反射を繰り返した後に始めて外部へ出て行く。この内面反射の間に中空の扉１の内部に張られた吸音材４により、ファン３の騒音は大幅に減衰される。
【００３１】
一方、ファン３から出た騒音の内、筺体１００の方向に向かったものは、筺体１００内部において反対側の扉１との間で反射を繰り返し、扉１の外側に張られた吸音材４によりエネルギが吸収され減音される。同様に、ディスクドライブ１１０での騒音は、筺体１００内部において両側の扉１との間で反射を繰り返し、扉１の外側に張られた吸音材４により減音される。
【００３２】
なお、吸音材４を中空の扉１の内面だけに張っても一定の消音効果を得ることが出来る。
【００３３】
一般に吸音材４は、その特性として５００Ｈｚ以上の高周波成分を効果的に減衰させることが出来る。ディスクアレイ装置および電子装置の冷却に通常使用される軸流型のファン３での騒音は、５００〜１０００Ｈｚの間に卓越したピーク騒音値を持つので、吸音材４の吸音特性を有効に利用できる。
【００３４】
また、このような構成では、冷却風は扉１のファン３により駆動されて、筺体１００の前方の扉１から流入して筺体１００内の各ディスクドライブ１１０，電源１３０やその他の基板を冷却した後、筺体１００の後ろ側の扉１から排気される。
【００３５】
従来のデータセンタ等のディスクアレイ装置および電子装置を同一空間内に多数に設置する場合においては、空調機の構成としては、床の下面側から冷気が供給され、天上部から排熱されるものが一般的であった。ディスクアレイ装置および電子装置が高密度に実装された場合、天井付近の温まった空気を再吸気しやすいという問題があった。そしてこれが、空調コストの増大や機器搭載数の制限への要因となっていた。
【００３６】
本実施例においては、先述したようにルーバ２の向きが前方吸気側の扉１では下向き、後方排気側の扉１では上向きとなるように構成されているため、筺体１００への吸気は床下面の冷気を吸いやすくなっている。また、排気は天井側にスムーズに流れるようになっている。このため、ディスクアレイ装置および電子装置が天井付近の温まった空気を再吸気する可能性が大幅に減少する。
【００３７】
なお、従来のディスクアレイ装置および電子装置では、低騒音化の観点からもファン３が筺体１００内部に実装されることが多かった。この場合、構造によっては、ファン３の振動がディスクドライブ１１０に伝わることがあった。運悪く、ファン３の振動のピーク周波数とディスクドライブ１１０の固有振動数が一致してしまうと、ディスクドライブ１１０での読み書きに障害が出る可能性が考えられた。本実施例によれば、ファン３は扉１に集約されるため、ファン３の振動がディスクドライブ１１０へ直接伝わることはなく、このような障害の出る可能性は排除され、各ディスクドライブ１１０での読み書きを常に良好なものとすることが出来る。
【００３８】
本実施例の開閉式の扉１は、通常は閉まった状態で使用されるが、ディスクドライブ１１０を取り替える等のメンテナンスを行う際には開かれる場合がある。本実施例では、筺体１００の前後に、多数のファン３を内蔵した扉１が設けられているため、一方の扉１が開かれた際においても、もう一方の扉１にあるファン３の回転数を通常より上げることで、筺体１００内の各発熱部品の冷却性を保つことが出来る。具体的には、本実施例では筺体１００の最下流側で図示されていないセンサにより筺体１００での排気温度を監視しており、前記センサの温度に応じてファン３の回転数が制御されるようになっている。
【００３９】
一方の扉１が開かれた場合、冷却風量が減少するために排気温度が上昇する。これを、前記センサが感知して、ファン３の回転数を大きくさせるための信号を出し、冷却風量の低下を防止させる。このため、筺体１００を停止させることなく、メンテナンスを実行することが出来る。このことは、特に信頼性が要求されるハイエンド向けのディスクアレイ装置および電子装置において重要な事項である。
【００４０】
本実施例によれば、ディスクアレイ装置および電子装置の主たる騒音源であるファン３およびディスクドライブ１１０からの音が装置外部に漏れるのを効率的に防止でき、装置の静音化を図ることが出来る。また、ディスクアレイ装置および電子装置が天井付近の温まった空気を再吸気する可能性を大幅に減少させることが出来、冷却の効率を高めることが出来る。
【実施例２】
【００４１】
図４，図５は本発明の第二の実施例を示している。  
図４は、本実施例でのディスクアレイ装置および電子装置の横断面図である。  
図５は、本実施例での扉１の構造図である。  
図４，図５において、本実施例においても扉１は中が中空となっており、内面および外面には吸音材４が貼り付けられている。表側に多数のベンド２０が形成され、裏側に多数のファン３が実装されている。扉１の表側に設けられたベンド２０は、前方から見た時に中空部内面が全く見えないように形成されており、ベンド２０の両側にも吸音材４が貼り付けられている。ベンド２０の向きは前方吸気側の扉１では下向き、後方排気側の扉１では上向きとなるように構成されている。また、扉１の裏側の開口部はファン３と同寸大であり、ファン３の部分以外の開口部は無い。
【００４２】
本実施例においても、ファン３から出た騒音の内、中空の扉１に向かったものはベンド２０によりブロックされて反射するため扉１の外部へ直接出ることがなく、中空の扉１の中空部にて何回かの内面反射を繰り返した後に始めて外部へ出て行く。この内面反射の間に中空の扉１の内部に張られた吸音材４により、ファン３の騒音は大幅に減衰される。
【００４３】
一方、ファン３から出た騒音の内、筺体１００の方向に向かったものは、筺体１００内部において反対側の扉１との間で反射を繰り返し、扉１の外側に張られた吸音材４によりエネルギが吸収され減音される。同様に、ディスクドライブ１１０での騒音は、筺体１００内部において両側の扉１との間で反射を繰り返し、扉１の外側に張られた吸音材４により減音される。
【００４４】
なお、吸音材４を中空の扉１の内面だけに張っても、一定の消音効果を得ることが出来る。
【００４５】
本実施例のベンド２０は、凹凸が大きいため前方正面のみでなく、前方の全ての角度から見た時に中空部内面が見えない。このため、極めて良好な消音を行うことが出来る。
【００４６】
本実施例においても上述したようにベンド２０の向きが前方吸気側の扉１では下向き後方排気側の扉１では上向きとなるように構成されているため、筺体１００への吸気は床下面の冷気を吸いやすくなっている。また、排気は天井側にスムーズに流れるようになっている。このため、ディスクアレイ装置および電子装置が天井付近の温まった空気を再吸気する可能性が大幅に減少する。
【００４７】
本実施例によれば、ファン３は扉１に集約されるため、ファン３の振動がディスクドライブ１１０へ直接伝わることはなく、各ディスクドライブ１１０での読み書きを常に良好なものとすることが出来る。
【００４８】
本実施例によっても、ディスクアレイ装置および電子装置の主たる騒音源であるファン３およびディスクドライブ１１０からの音が装置外部に漏れるのを効率的に防止でき、装置の静音化を図ることが出来る。また、ディスクアレイ装置および電子装置が天井付近の温まった空気を再吸気する可能性を大幅に減少させることが出来、冷却の効率を高めることが出来る。
【実施例３】
【００４９】
本発明の第三の実施例を図６に示す。  
図６は本実施例での扉１の構造図である。  
図６において、本実施例においても扉１は中が中空となっており、内面および外面には吸音材４が貼り付けられている。表側に多数のベンド２０が形成され、裏側に多数のファン３が実装される。扉１の表側に設けられたベンド２０は、前方から見た時に中空部内面が完全に見えないように形成されており、ベンド２０の両側にも吸音材４が貼り付けられている。ベンド２０の向きは前方吸気側の扉１では下向き、後方排気側の扉１では上向きとなるように構成されている。また、扉１の裏側の開口部はファン３と同寸大であり、ファン３の部分以外の開口部は無い。
【００５０】
本実施例においては、中空の扉１の内部にＡＮＣ（アクティブ・ノイズ・コントロール）装置一式が内蔵されている。本実施例のＡＮＣ装置は、エラーセンサ１０，ノイズセンサ１１，スピーカ１２，デジタル式のＡＮＣコントローラ１３より構成されている。ＡＮＣ装置は、ＡＮＣコントローラ１３においてノイズセンサ１１で拾った騒音源の音と逆位相の信号を各周波数成分毎にデジタル演算し、これをスピーカ１２から騒音源と逆位相の補正音として発生させることで消音化を図る。この際、ＡＮＣコントローラ１３はエラーセンサ１０における騒音値が最小となるように時々刻々の演算を繰り返す。
【００５１】
本実施例においても、ファン３から出た騒音の内、中空の扉１に向かったものはベンド２０によりブロックされるため反射され、扉１の外部へ直接出ることがなく、中空の扉１の中空部にて何回かの内面反射を繰り返した後に始めて外部へ出て行く。この内面反射の間に中空の扉１の内部に張られた吸音材４により、ファン３の騒音は大幅に減衰される。
【００５２】
一方、ファン３から出た騒音の内、筺体１００の方向に向かったものは、筺体１００内部において反対側の扉１との間で反射を繰り返し、扉１の外側に張られた吸音材４によりエネルギが吸収され減音される。同様に、ディスクドライブ１１０での騒音は、筺体１００内部において両側の扉１との間で反射を繰り返し、扉１の外側に張られた吸音材４により減音される。
【００５３】
なお、吸音材４を中空の扉１の内面だけに張っても、一定の消音効果を得ることが出来る。
【００５４】
一般に吸音材４は、その特性として高周波成分を効果的に減衰させることが出来るが、たとえば５００Ｈｚ以下の低周波成分を除去することは苦手としている。
【００５５】
本実施例のＡＮＣ装置は、この５００Ｈｚ以下の騒音値に対して逆位相の音で消音を図るものであり、中空の扉１と併用することで極めて良好な消音を行うことが出来る。
【００５６】
本実施例においても、先述したようにベンド２０の向きが前方吸気側の扉１では下向き、後方排気側の扉１では上向きとなるように構成されているため、筺体１００への吸気は床下面の冷気を吸いやすくなっている。また、排気は天井側にスムーズに流れるようになっている。このため、ディスクアレイ装置および電子装置が天井付近の温まった空気を再吸気する可能性が大幅に減少する。
【００５７】
本実施例でも、ファン３は扉１に集約されるため、ファン３の振動がディスクドライブ１１０へ直接伝わることはなく、各ディスクドライブ１１０での読み書きを常に良好なものとすることが出来る。
【００５８】
以上、本実施例によっても、ディスクアレイ装置および電子装置の主たる騒音源であるファン３およびディスクドライブ１１０からの音が装置外部に漏れるのを効率的に防止でき、装置の効果的な静音化を図ることが出来る。また、ディスクアレイ装置および電子装置が天井付近の温まった空気を再吸気する可能性を大幅に減少させることが出来、冷却の効率を高めることが出来る。
【実施例４】
【００５９】
本発明の第四の実施例を図７に示す。  
図７は本実施例での扉１の構造図である。  
図７において、本実施例においても扉１は中が中空となっており、内面および外面には吸音材４が貼り付けられている。表側に多数のベンド２０が形成され、裏側に多数のファン３が実装される。扉１の表側に設けられたベンド２０は、前方から見た時に、中空部内面が全く見えないように形成されており、ベンド２０の両側にも吸音材４が貼り付けられている。ベンド２０の向きは前方吸気側の扉１では下向き、後方排気側の扉１では上向きとなるように構成されている。また、扉１の裏側の開口部はファン３と同寸大であり、ファン３の部分以外の開口部は無い。
【００６０】
本実施例においても、中空の扉１の内部にＡＮＣ（アクティブ・ノイズ・コントロール）装置一式が内蔵されている。本実施例のＡＮＣ装置は、ノイズセンサ１１，スピーカ１２，アナログ式のＡＮＣコントローラ１３より構成されている。ＡＮＣ装置は、ＡＮＣコントローラ１３においてノイズセンサ１１で拾った騒音源の音と逆位相の信号を同定し、これをスピーカ１２から騒音源と位相を１８０度反転させた逆位相の補正音として発生させることで消音化を図る。
【００６１】
本実施例のＡＮＣ装置では、エラーセンサ１０が省略されており、ＡＮＣコントローラ１３も通常のオーディオアンプのようなアナログ式であるため、図６の第三の実施例に比べて、ＡＮＣ装置に要する費用を大幅に縮小させることが出来る。ただし、騒音源の音と位相を１８０度ずらすだけであるため各周波数成分毎に逆位相の信号を発生させることは困難であり、消音の効果自体は図６の第三の実施例に比べて劣る。
【００６２】
本実施例においても、ファン３から出た騒音の内、中空の扉１に向かったものはベンド２０によりブロックされるため反射され、扉１の外部へ直接出ることがなく、中空の扉１の中空部にて何回かの内面反射を繰り返した後に始めて外部へ出て行く。この内面反射の間に中空の扉１の内部に張られた吸音材４により、ファン３の騒音は大幅に減衰される。一方、ファン３から出た騒音の内、筺体１００の方向に向かったものは、筺体１００内部において反対側の扉１との間で反射を繰り返し、扉１の外側に張られた吸音材４によりエネルギが吸収され減音される。同様に、ディスクドライブ１１０での騒音は、筺体１００内部において両側の扉１との間で反射を繰り返し、扉１の外側に張られた吸音材４により減音される。
【００６３】
なお、吸音材４を内面だけに張っても、一定の消音効果を得ることが出来る。
【００６４】
一般に吸音材４は、その特性として高周波成分を効果的に減衰させることが出来るが、たとえば５００Ｈｚ以下の低周波成分を除去することは苦手としている。
【００６５】
本実施例のＡＮＣ装置は、この５００Ｈｚ以下の騒音値に対して逆位相の音で消音を図るものであり、中空の扉１と併用することで良好な消音を行うことが出来る。
【００６６】
本実施例においても、先述したようにベンド２０の向きが前方吸気側の扉１では下向き、後方排気側の扉１では上向きとなるように構成されているため、筺体１００への吸気は床下面の冷気を吸いやすくなっている。また、排気は天井側にスムーズに流れるようになっている。このため、ディスクアレイ装置および電子装置が天井付近の温まった空気を再吸気する可能性が大幅に減少する。
【００６７】
本実施例でも、ファン３は扉１に集約されるため、ファン３の振動がディスクドライブ１１０へ直接伝わることはなく、各ディスクドライブ１１０での読み書きを常に良好なものとすることが出来る。
【００６８】
以上、本実施例によっても、ディスクアレイ装置および電子装置の主たる騒音源であるファン３およびディスクドライブ１１０からの音が装置外部に漏れるのを効率的に防止でき、装置の効果的な静音化を図ることが出来る。また、ディスクアレイ装置および電子装置が天井付近の温まった空気を再吸気する可能性を大幅に減少させることが出来、冷却の効率を高めることが出来る。
【実施例５】
【００６９】
図８〜図１０は本発明の第五の実施例を示している。  
図８，図９は、本実施例でのディスクアレイ装置および電子装置の上断面図である。  
図１０は、本実施例でのディスクアレイ装置および電子装置を設置したデータセンタである。
【００７０】
図８〜図１０において、本実施例においても扉１は中が中空となっており、内面および外面には吸音材４が貼り付けられている。表側に多数のルーバ２が形成され、裏側に多数のファン３が実装される。扉１の表側に設けられたルーバ２は、前方から見た時に、中空部内面が見えないように形成されており、ルーバ２の両側にも吸音材４が貼り付けられている。また、扉１の裏側の開口部はファン３と同寸大であり、ファン３の部分以外の開口部は無い。
【００７１】
本実施例のルーバ２の向きは、図８，図９に示されるように横方向を向いており、かつ前方吸気側の扉１と、後方排気側の扉１とでは逆向きとなるように構成されている。また、向きも図８，図９のような２種類がある。
【００７２】
本実施例においても、ファン３から出た騒音の内、中空の扉１に向かったものはルーバ２によりブロックされるため反射され、扉１の外部へ直接出ることがなく、中空の扉１の中空部にて何回かの内面反射を繰り返した後に始めて外部へ出て行く。この内面反射の間に中空の扉１の内部に張られた吸音材４により、ファン３の騒音は大幅に減衰される。
【００７３】
一方、ファン３から出た騒音の内、筺体１００の方向に向かったものは、筺体１００内部において反対側の扉１との間で反射を繰り返し、扉１の外側に張られた吸音材４によりエネルギが吸収され減音される。同様に、ディスクドライブ１１０での騒音は、筺体１００内部において両側の扉１との間で反射を繰り返し、扉１の外側に張られた吸音材４により減音される。
【００７４】
なお、吸音材４を中空の扉１の内面だけに張っても、一定の消音効果を得ることが出来る。
【００７５】
本実施例でのディスクアレイ装置および電子装置を設置したデータセンタは、壁４００に囲まれた空間であり、床面上に筺体１００が列を成すごとく多数並べられている。一方の壁４００付近には空調機２００が１列おきに設置されている。また、もう一方の壁４００近傍の床面には、排気口３００が空調機２００のある列とずれる形でやはり１列おきに設けられている。排気口３００において、各筺体１００を冷却後温まった空気が吸引され、床下を通って空調機２００に戻る。空調機２００で冷却された空気は、空調機２００の出口側より筺体１００の並べられた列の間を通るように、床上の空間に吐出される。
【００７６】
本実施例では、ルーバ２が横方向を向いており、かつ前方吸気側の扉１と後方排気側の扉１とでは逆向きとなるように構成され、向きは図８，図９に示す２種類ある。本実施例のデータセンタ内に設置された筺体１００は、ルーバ２の向きが筺体１００の列毎に同じでかつ１列ごとに向きが異なっている。
【００７７】
このような構成においては、空調機２００の出口側より床上の空間に吐出された低温の冷却空気は、筺体１００の並べられた列の間を通るうちに各筺体１００により吸気される。この際、各筺体１００の吸気側のルーバ２は空調機２００側を向いているため吸気がスムーズに行われる。各筺体１００の発熱部品を冷却して温まった空気は、各筺体１００の背面側より排気される。
【００７８】
上述したようにルーバ２の向きが前方吸気側の扉１と後方排気側の扉１とでは逆向きとなるように構成されているため、排気は排気口３００側にスムーズに流れるようになっている。このため、ディスクアレイ装置および電子装置が排気側の温まった空気を再吸気する可能性が大幅に減少する。また、排気をスムーズにするために別途送風機を設ける必要も無くなり、データセンタの省電力化にも貢献する。
【００７９】
また、本実施例によれば、ファン３は扉１に集約されるため、ファン３の振動がディスクドライブ１１０へ直接伝わることはなく、各ディスクドライブ１１０での読み書きを常に良好なものとすることが出来る。
【００８０】
本実施例によっても、ディスクアレイ装置および電子装置の主たる騒音源であるファン３およびディスクドライブ１１０からの音が装置外部に漏れるのを効率的に防止でき、装置の静音化を図ることが出来る。また、ディスクアレイ装置および電子装置が排気側の温まった空気を再吸気する可能性を大幅に減少させることが出来、冷却の効率を高めることが出来る。
【００８１】
以上のごとく、本発明のディスクアレイ装置および電子装置の場合、筐体内に実装されるコントローラやＣＰＵおよびディスクドライブの冷却性能を向上させ、コントローラやＣＰＵの処理速度と信頼性を大幅に向上させるとともに、ディスクドライブの温度上昇とディスクドライブ間の温度バラツキを低減し、ディスクドライブの信頼性向上，長寿命化を図り、それによりディスクアレイ装置および電子装置の大容量化・高速化を実現させる。また、低騒音のディスクアレイ装置および電子装置を提供することが出来る。
【００８２】
本発明はディスクアレイおよび電子装置の筐体内に実装されるコントローラやＣＰＵおよびディスクドライブの冷却性能を向上させ、その信頼性向上，長寿命化を図り、それにより装置の大容量化・高速化を実現出来る。また、低騒音のディスクアレイ装置および電子装置を提供することが出来る。
【００８３】
本発明によれば、ディスクアレイ装置および電子装置の筐体内に実装されるコントローラやＣＰＵおよびディスクドライブの冷却性能を向上させ、コントローラやＣＰＵの処理速度と信頼性を大幅に向上させるとともに、ディスクドライブの温度上昇とディスクドライブ間の温度バラツキを低減し、ディスクドライブの信頼性向上，長寿命化を図り、それによりディスクアレイ装置および電子装置の大容量化・高速化を実現させたディスクアレイ装置を提供することにある。
【００８４】
さらに、ディスクアレイおよび電子装置の筐体内に実装されるコントローラやＣＰＵおよびディスクドライブの冷却性能を向上させ、コントローラやＣＰＵの処理速度と信頼性を大幅に向上させるとともに、ディスクドライブの温度上昇とディスクドライブ間の温度バラツキを低減し、ディスクドライブの信頼性向上，長寿命化を図り、それによりディスクアレイ装置および電子装置の大容量化・高速化を実現させることが出来る。また、低騒音のディスクアレイ装置および電子装置を提供することが出来る。
【図面の簡単な説明】
【００８５】
【図１】本発明の第一の実施例であるディスクアレイ装置および電子装置の横断面図である。
【図２】本発明の第一の実施例での扉の構造図である。
【図３】本発明の第一の実施例であるディスクアレイ装置の鳥瞰図である。
【図４】本発明の第二の実施例であるディスクアレイ装置および電子装置の横断面図である。
【図５】本発明の第二の実施例での扉の構造図である。
【図６】本発明の第三の実施例での扉の構造図である。
【図７】本発明の第四の実施例での扉の構造図である。
【図８】本発明の第五の実施例でのディスクアレイ装置および電子装置の上断面図である。
【図９】本発明の第五の実施例であるディスクアレイ装置および電子装置の上断面図である。
【図１０】本発明の第五の実施例であるディスクアレイ装置および電子装置を設置したデータセンタである。
【符号の説明】
【００８６】
１  扉
２  ルーバ
３  ファン
４  吸音材
５  バックボード
１０  エラーセンサ
１１  ノイズセンサ
１２  スピーカ
１３  ＡＮＣコントローラ
２０  ベンド
１００  筺体
１１０  ディスクドライブ
１２０  ディスクボックス
１３０  電源
２００  空調機
３００  排気口
４００  壁
５００  冷気
６００  暖気
【図１】
0004607203.tif 000002
【図２】
0004607203.tif 000003
【図３】
0004607203.tif 000004
【図４】
0004607203.tif 000005
【図５】
0004607203.tif 000006
【図６】
0004607203.tif 000007
【図７】
0004607203.tif 000008
【図８】
0004607203.tif 000009
【図９】
0004607203.tif 000010
【図１０】
0004607203.tif 000011